(57)【要約】【課題】各丁番が扉の重量を支持可能であり扉の抜けを防止する機能を有し施工性に優れた扉ユニットを提供する。【解決手段】開口を開閉可能な扉と、扉を回動自在に支持する複数の丁番と、を有し、丁番は、開口を形成する開口縁部と扉とのうちの一方に固定されて回動軸を備えた軸側部材と、開口縁部と扉とのうちの他方に固定され、回動軸が挿入される孔部を備えた軸受部材と、を有し、回動軸が孔部に挿入された状態にて、扉に固定された軸側部材又は軸受部材が、開口縁部に固定された軸受部材又は軸側部材の上方に配置されており、複数の丁番のうちの少なくとも１つは、軸側部材が扉に固定され、軸受部材が開口縁部に固定され、且つ、挿入された回動軸が孔部から抜けることを防止する抜け防止部材が設けられている。【選択図】図２
2015089997.tif 000002
【特許請求の範囲】
【請求項１】
開口を開閉可能な扉と、
前記扉を回動自在に支持する複数の丁番と、を有し、
前記丁番は、
前記開口を形成する開口縁部と前記扉とのうちの一方に固定されて回動軸を備えた軸側部材と、
前記開口縁部と前記扉とのうちの他方に固定され、前記回動軸が挿入される孔部を備えた軸受部材と、を有し、
前記回動軸が前記孔部に挿入された状態にて、前記扉に固定された前記軸側部材又は前記軸受部材が、前記開口縁部に固定された前記軸受部材又は前記軸側部材の上方に配置されており、
前記複数の丁番のうちの少なくとも１つは、前記軸側部材が前記扉に固定され、前記軸受部材が前記開口縁部に固定され、且つ、挿入された前記回動軸が前記孔部から抜けることを防止する抜け防止部材が設けられていることを特徴とする扉ユニット。
【請求項２】
請求項１に記載の扉ユニットであって、
前記抜け防止部材が設けられた前記丁番の前記軸側部材は、前記軸受部材に対して、前記回動軸の軸方向に移動可能であることを特徴とする扉ユニット。
【請求項３】
請求項１または請求項２に記載の扉ユニットであって、
前記抜け防止部材は、前記複数の丁番のうちの最も下に位置する最下丁番に設けられていることを特徴とする扉ユニット。
【請求項４】
請求項１乃至請求項３のいずれかに記載の扉ユニットであって、
前記抜け防止部材が設けられた前記丁番の前記回動軸は、先端に雌ねじが形成されており、
前記抜け防止部材は、先端に前記雌ねじに螺合される雄ねじが形成された軸部と、前記軸部の後端に形成され前記孔部の直径より大きなサイズの抜け防止端部と、を有し、
前記抜け防止部材の前記軸部の雄ねじが前記軸側部材の雌ねじに螺着された状態で、前記回動軸の軸方向における前記軸受部材と前記抜け防止端部との間に空隙を有することを特徴とする扉ユニット。
【請求項５】
請求項４に記載の扉ユニットであって、
前記軸受部材は、前記孔部と繋がって設けられ前記孔部より直径が大きく、前記抜け防止部材の前記雄ねじが前記軸側部材の前記雌ねじに螺着されて前記抜け防止端部が収容される端部収容部を有しており、
前記空隙は、前記端部収容部内に設けられることを特徴とする扉ユニット。
【請求項６】
請求項１または請求項２に記載の扉ユニットであって、
前記抜け防止部材は、前記複数の丁番のうちの最も下に位置する最下丁番に設けられ、
前記複数の丁番のうちの最も上に位置する最上丁番は、前記軸側部材が前記開口縁部に固定され、前記軸受部材が前記扉に固定されていることを特徴とする扉ユニット。
【発明の詳細な説明】
【技術分野】
【０００１】
本発明は、扉と、扉を回動自在に支持する複数の丁番とを有する扉ユニットに関する。
【背景技術】
【０００２】
差込みシャフトを有する雄型丁番片とシャフト嵌合部を有する雌型丁番片とから成る分割可能な差込み式の丁番により扉体が枠体に開閉自在に支持される扉装置が知られている。この扉装置は、上下方向における３カ所に設けられた丁番により扉体が支持されている。扉体は、まず、上下２つの丁番の、雄型丁番片が枠体側に取り付けられ、雌型丁番片が扉体側に取り付けられた状態で、扉体に取り付けられた雌型丁番片のシャフト嵌合部を枠体に取り付けられた雄型丁番片の差込みシャフトに上方から嵌合させる。その後、真ん中の丁番を、枠体側に雄型丁番片を上下の雄型丁番片と上下逆向きに取り付けて上下の雄型丁番片と芯合わせを行い、次に雌型丁番片を上下の雌型丁番片と上下逆向きにして下方から差込みシャフトに嵌合させた後、扉体に取り付けている（例えば、特許文献１参照）。このように、上下の丁番と真ん中の丁番とで上下の向きを違えることにより、扉体の上方への移動を拘束するように作用させている。
【先行技術文献】
【特許文献】
【０００３】
【特許文献１】特許第４８４６３８７号公報
【発明の概要】
【発明が解決しようとする課題】
【０００４】
上記のような扉装置は、上下２つの雌型丁番片が取り付けられた扉体を、枠体に取り付けられた２つの雄型丁番片に嵌合させて支持させた後に、真ん中の丁番を現場にて取り付け、さらに、上下の丁番と真ん中の丁番との芯合わせも行わなければ成らず、施工が煩雑であるという課題がある。
また、上下の丁番が上下方向で接している場合は、枠体側の下の丁番で扉体側の上の丁番を支えることで扉体の重量を枠体で支持することはできるが、真ん中の丁番は扉体を支持することができないという課題がある。
【０００５】
本発明は、かかる課題に鑑みてなされたものであり、その目的とするところは、各丁番が扉の重量を支持可能であり扉の抜けを防止する機能を有し施工性に優れた扉ユニットを提供することにある。
【課題を解決するための手段】
【０００６】
かかる目的を達成するために本発明の扉ユニットは、開口を開閉可能な扉と、前記扉を回動自在に支持する複数の丁番と、を有し、前記丁番は、前記開口を形成する開口縁部と前記扉とのうちの一方に固定されて回動軸を備えた軸側部材と、前記開口縁部と前記扉とのうちの他方に固定され、前記回動軸が挿入される孔部を備えた軸受部材と、を有し、前記回動軸が前記孔部に挿入された状態にて、前記扉に固定された前記軸側部材又は前記軸受部材が、前記開口縁部に固定された前記軸受部材又は前記軸側部材の上方に配置されており、前記複数の丁番のうちの少なくとも１つは、前記軸側部材が前記扉に固定され、前記軸受部材が前記開口縁部に固定され、且つ、挿入された前記回動軸が前記孔部から抜けることを防止する抜け防止部材が設けられていることを特徴とする扉ユニットである。
【０００７】
このような扉ユニットによれば、回動軸が孔部に挿入された状態にて、扉に固定された軸側部材又は軸受部材が、開口縁部に固定された軸受部材又は軸側部材の上方に配置されているので、扉に固定された軸側部材や軸受部材を、開口縁部に固定された軸受部材や軸側部材の上方に配置した状態から扉を降下させることにより、扉を開口縁部に支持させることが可能である。すなわち、扉を上方から降下させて回動軸が孔部に挿入されて回動自在に支持されるので、容易に扉を取り付けることが可能である。
【０００８】
また、複数の丁番のうちの少なくとも１つの丁番には、孔部に挿入された回動軸の抜け防止部材が設けられているので、扉の上方への抜けを防止することが可能である。すなわち、各丁番が扉の重量を支持可能であり扉の上方への抜けを防止する機能を有し施工性に優れた扉ユニットを提供することが可能である。
【０００９】
かかる扉ユニットであって、前記抜け防止部材が設けられた前記丁番の前記軸側部材は、前記軸受部材に対して、前記回動軸の軸方向に移動可能であることが望ましい。
このような扉ユニットによれば、各部材の軸方向の寸法ばらつき、及び、組立・施工時における軸方向の取り付けばらつきを吸収することが可能である。
【００１０】
かかる扉ユニットであって、前記抜け防止部材は、前記複数の丁番のうちの最も下に位置する最下丁番に設けられていることが望ましい。
このような扉ユニットによれば、抜け防止部材は人の視野に入りにくいため、意匠性を損なうことなく抜け防止機能を備えることが可能である。
【００１１】
かかる扉ユニットであって、前記抜け防止部材が設けられた前記丁番の前記回動軸は、先端に雌ねじが形成されており、前記抜け防止部材は、先端に前記雌ねじに螺合される雄ねじが形成された軸部と、前記軸部の後端に形成され前記孔部の直径より大きなサイズの抜け防止端部と、を有し、前記抜け防止部材の前記軸部の雄ねじが前記軸側部材の雌ねじに螺着された状態で、前記回動軸の軸方向における前記軸受部材と前記抜け防止端部との間に空隙を有することが望ましい。
このような扉ユニットによれば、抜け防止部材の軸部の雄ねじが軸側部材の雌ねじに螺着された状態で、回動軸の軸方向における軸受部材と抜け防止端部との間に空隙を有しているので、扉の抜けを防止しつつも、より滑らかに扉を回動させることが可能である。また、抜け防止部材は、抜け防止部材の雄ねじが回動軸の雌ねじに螺着するだけで抜けを防止しているので、雄ねじと雌ねじを螺合させる容易な方法にて確実に抜けを防止することが可能である。
【００１２】
かかる扉ユニットであって、前記軸受部材は、前記孔部と繋がって設けられ前記孔部より直径が大きく、前記抜け防止部材の前記雄ねじが前記軸側部材の前記雌ねじに螺着されて前記抜け防止端部が収容される端部収容部を有しており、前記空隙は、前記端部収容部内に設けられることが望ましい。
このような扉ユニットによれば、抜け防止部材の雄ねじが軸側部材の雌ねじに螺着された状態で、端部収容部内に抜け防止部材の抜け防止端部が収容されるので、上方から舞い落ちる埃などが空隙に入り込みにくい。このため、回動軸と孔部との間に埃等が入り込み難いので、扉の滑らかな回動を維持することが可能である。
【００１３】
かかる扉ユニットであって、前記抜け防止部材は、前記複数の丁番のうちの最も下に位置する最下丁番に設けられ、前記複数の丁番のうちの最も上に位置する最上丁番は、前記軸側部材が前記開口縁部に固定され、前記軸受部材が前記扉に固定されていることが望ましい。
このような扉ユニットによれば、最下丁番と最上丁番との間に頭が位置する状態で扉の取り付け作業を行うと、見下ろしたときに開口縁部に固定された最下丁番の軸受部材が有する孔部を視認することが可能であり、見上げたときに扉に固定された最上丁番の軸受部材が有する孔部を視認することが可能である。このため、最下丁番及び最上丁番の孔部を見つつ当該孔部に回動軸を挿入して扉を取り付けることが可能である。このため、施工性に優れた扉ユニットを提供することが可能である。
【発明の効果】
【００１４】
本発明によれば、各丁番が扉の重量を支持可能であり扉の抜けを防止する機能を有し施工性に優れた扉ユニットを提供することが可能である。
【図面の簡単な説明】
【００１５】
【図１】本実施形態に係る扉ユニットが取り付けられた状態を示す外観姿図である。
【図２】扉が支持される丁番の構成を示す斜視図である。
【図３】抜け防止部材が設けられていない丁番の構造を説明する図である。
【図４】抜け防止部材が設けられている丁番の構成を示す斜視図である。
【図５】抜け防止部材が設けられている丁番の構造を説明する図である。
【図６】扉ユニットの取り付け方法を示す図である。
【図７】抜け防止部材が設けられている丁番の変形例の構成を示す斜視図である。
【図８】抜け防止部材が設けられている丁番の変形例の構造を説明する図である。
【発明を実施するための形態】
【００１６】
以下、本発明の一実施形態に係る扉ユニットについて図面を参照して説明する。
本実施形態の扉ユニット１は、図１、図２に示すように、開口縁部としての枠体２により形成される開口２ａを開閉可能な扉３と、扉３を回動自在に枠体２に支持する３つの丁番１０、１１と、を有している。
【００１７】
３つの丁番１０、１１は、扉３の戸尻側の端面３ａと、扉３を閉じたときに端面３ａと対向する枠体２の対向面２ｂとの間に設けられており、上下方向において、扉３の上下方向における上下端部側に１つずつと、扉３の上下方向における中央より上方側に１つ設けられている。以下の説明では、上端側に取り付けられた丁番を最上丁番としての上丁番１０、下端側に取り付けられた丁番を最下丁番としての下丁番１１、上丁番１０と下丁番１１との間に取り付けられている丁番を中間丁番としての中丁番１０という。
【００１８】
各丁番１０、１１は、扉３が回動する際の軸となる回動軸１３ａ、２２ａを備えた軸側部材１２、１９と、回動軸１３ａ、２２ａが挿入されて回動自在に支持され貫通する孔部１７ａ、２４ａを備えた軸受部材１６、２３とを有している。ここで、回動自在に支持するとは、扉３を枠体２に対して少なくとも開閉自在に支えることを意味しており、全ての丁番１０、１１において扉３の重量を支えることを意味するものではない。つまり、３つの丁番のうちの２つの丁番で扉３の重量を支える一方、残りの１つの丁番では扉３の重量を支えないで、これら３つの丁番で扉３を枠体２に対して開閉自在に支持しているものも含まれる。
【００１９】
上丁番１０と中丁番１０とは、同一の部材であり、軸側部材１２が枠体２側に取り付けられ、軸受部材１６が扉３側に取り付けられている。すなわち、回動軸１３ａが孔部１７ａに挿入された状態にて、扉３に固定された軸受部材１６が、枠体２に固定された軸側部材１２の上方に配置されている。
【００２０】
図３に示すように、上丁番１０と中丁番１０の軸側部材１２は、枠体２に図示しないビスにて取り付けられる取付孔１４ａを備えた板状の軸側取付板部１４と、軸側取付板部１４の面内方向における一方の端部に一体に設けられた円柱状の軸支持部１５と、軸支持部１５から上方に突出された回動軸１３ａとを有している。回動軸１３ａの先端側の部位は、先端に向かって直径が小さくなるようなテーパーが設けられている。
【００２１】
回動軸１３ａは、軸支持部１５上に突出している部位とは反対側に、同軸にて軸支持部１５に形成されている嵌合孔１５ａに嵌合される嵌合部１３ｂと、回動軸１３ａと嵌合部１３ｂの境界部分に回動軸１３ａと嵌合部１３ｂとの直径より大きな直径をなす拡径部１３ｃとが一体に形成された軸部材１３が、嵌合孔１５ａに嵌合されて軸支持部１５上に突出している。
【００２２】
軸受部材１６は、軸側部材１２の軸側取付板部１４と同様の形状をなし扉３に図示しないビスにて取り付けられる取付孔１８ａを備えた受側取付板部１８と、受側取付板部１８の面内方向における一方の端部に一体に設けられ回動軸１３ａが挿入される孔部１７ａを備えた軸受部１７とを有している。孔部１７ａの直径は、挿入される回動軸の直径より僅かに大きく形成され、孔部１７ａの回動軸１３ａが挿入される側と反対側は塞がって貫通していない。
【００２３】
下丁番１１は、軸側部材１９が扉３側に取り付けられ、軸受部材２３が枠体２側に取り付けられている。すなわち、回動軸２２ａが孔部２４ａに挿入された状態にて、扉３に固定された軸側部材１９が、枠体２に固定された軸受部材２３の上方に配置されている。
【００２４】
図４、図５に示すように、下丁番１１の軸側部材１９は、扉３に図示しないビスにて取り付けられる取付孔２０ａを備えた板状の軸側取付板部２０と、軸側取付板部２０の面内方向における一方の端部に一体に設けられた円柱状の軸支持部２１と、軸支持部２１から下方に突出された回動軸２２ａとを有している。回動軸２２ａの先端側の部位は、先端に向かって直径が小さくなるようなテーパーが設けられ、回動軸２２ａの先端には雌ねじ２２ｂが形成されている。
【００２５】
回動軸２２ａは、軸支持部２１の下に突出している部位とは反対側に、同軸にて軸支持部２１に形成されている嵌合孔２１ａに嵌合される嵌合部２２ｃと、回動軸２２ａと嵌合部２２ｃの境界部分に回動軸２２ａと嵌合部２２ｃとの直径より大きな直径をなす拡径部２２ｄとが一体に形成された軸部材２２が、嵌合孔２１ａに嵌合されて軸支持部２１から下方に突出している。
【００２６】
軸受部材２３は、軸側部材１９と同様の形状をなし枠体２に図示しないビスにて取り付けられる取付孔２５ａを備えた受側取付板部２５と、受側取付板部２５の面内方向における一方の端部に一体に設けられ回動軸２２ａが挿入され孔部２４ａを備えた軸受部２４とを有している。孔部２４ａの直径は、挿入される回動軸２２ａの直径より僅かに大きく形成されており、孔部２４ａの回動軸２２ａが挿入される側と反対側まで貫通している。
【００２７】
下丁番１１は、回動軸２２ａが孔部２４ａから抜けることを防止する抜け防止部材３０を有している。抜け防止部材３０は、回動軸２２ａが挿入される孔部２４ａの回動軸２２ａが挿入されている側と反対側から挿入される挿入軸部３１と、挿入軸部３１にて孔部２４ａへの進入方向における後端に形成され孔部２４ａの直径より大きな外形をなす抜け防止端部３２とを有している。挿入軸部３１の孔部２４ａへの進入方向における先端には、回動軸２２ａの先端の雌ねじ２２ｂに螺合される雄ねじ３１ａが形成されている。
【００２８】
抜け防止部材３０は、軸受部２４に設けられた貫通する孔部２４ａの一方側から回動軸２２ａが挿入され、他方側から挿入された抜け防止部材３０の雄ねじ３１ａが回動軸２２ａの先端に設けられた雌ねじ２２ｂに螺合されて取り付けられる。下丁番１１は、軸側部材１９と軸受部材２３が回動軸２２ａの軸方向において最も近づいた状態では、取り付けられた抜け防止部材３０の抜け防止端部３２と軸受部２４の下端２４ｂとの間には空隙Ｓが生じるように構成されている。より具体的には、軸側部材１９の回動軸２２ａの拡径部２２ｄの下端と、軸受部材２３の軸受部２４の上端と、が接した状態において、この空隙Ｓが生じるように構成されている。
【００２９】
本実施形態の扉ユニット１を取り付ける場合には、まず、工場等において、扉３に上丁番１０と中丁番１０の軸受部材１６、及び、下丁番１１の軸側部材１９を、各々の軸芯を揃えて取り付けておく。一方、扉３が取り付けられる枠体２には、上丁番１０、中丁番１０、及び下丁番１１の位置に合わせて上丁番１０と中丁番１０の軸側部材１２、及び、下丁番１１の軸受部材２３を取り付けておく。
【００３０】
次に、図２に示すように、上丁番１０と中丁番１０の軸受部材１６、及び、下丁番１１の軸側部材１９が取り付けられた扉３を、２つの軸受部材１６を枠体２に取り付けられた上丁番１０と中丁番１０の軸側部材１２の上方から、軸側部材１９を下丁番１１の軸受部材２３の上方からそれぞれ装着する。このとき、上丁番１０、中丁番１０、下丁番１１の回動軸１３ａ、２２ａが孔部１７ａ、２４ａに挿入され、扉３が枠体２に上丁番１０、中丁番１０、下丁番１１を介して、回動自在に支持される。
【００３１】
本扉ユニット１を取り付ける際には、図６に示すように、上丁番１０と中丁番１０が作業者の取り付け作業時における視線（目の位置Ｈ）より上方に位置して、上丁番１０と中丁番１０の軸受部材１６は、孔部１７ａが下方に向けられて取り付けられている。また、下丁番１１の軸受部材２３は、下丁番１１が作業者の取り付け作業時における視線（目の位置Ｈ）より下方に位置して、孔部２４ａが上方に向けられて取り付けられている。このため、作業者は、扉３を取り付ける際に、上丁番１０と中丁番１０が有する孔部１７ａと、孔部１７ａに挿入される回動軸１３ａの先端とを、また、下丁番１１が有する孔部２４ａと、孔部２４ａに挿入される回動軸２２ａの先端とを視認することが可能である。このため、回動軸１３ａ、２２ａを孔部１７ａ、２４ａに容易に挿入することが可能であり、扉３を容易に取り付けることが可能である。
【００３２】
本実施形態においては、中丁番１０を上丁番１０と同様の向きにて取り付けているが、取り付ける高さ位置によっては作業者の視線の高さよりも下になる場合がある。従って、中丁番１０の取り付ける高さに応じて、中丁番１０の向きを変えて、扉３の取り付け時に作業者から孔部１７ａと回動軸１３ａの先端が見えるように取り付ければ良い。つまり、中丁番１０については取り付ける高さ位置に合わせて適宜選択できる構成とすると、より作業性に優れた扉ユニットを実現することが可能である。例えば、一般成人男性の平均身長を基準に、中丁番１０の取り付け位置がこの基準よりも上方になれば上丁番１０と同じ向きで、また、中丁番１０の取り付け位置がこの基準よりも下方になれば下丁番１１と同じ向きにすれば良い。
【００３３】
本実施形態の扉ユニット１によれば、回動軸１３ａ、２２ａが孔部１７ａ、２４ａに挿入された状態にて、扉３に固定された軸側部材１９又は軸受部材１６が、枠体２に固定された軸受部材２３又は軸側部材１２の上方に配置されているので、扉３に固定された軸側部材１９や軸受部材１６を、枠体２に固定された軸受部材２３や軸側部材１２の上方に配置した状態から扉３を降下させることにより、扉３を枠体２に支持させることが可能である。
【００３４】
扉３を枠体２に支持する３つの丁番１０、１１のうち、下丁番１１の孔部２４ａに挿入された回動軸２２ａには抜け防止部材３０が挿入されて固定されているので、扉３の上方への抜けを防止することが可能である。すなわち、各丁番１０、１１が扉３の重量を支持可能であり丁番１１により扉３の抜けを防止する機能を有し施工性に優れた扉ユニット１を提供することが可能である。また、抜け防止部材３０は、雄ねじ３１ａが回動軸２２ａの雌ねじ２２ｂに螺着されているので、雄ねじ３１ａと雌ねじ２２ｂを螺合させる容易な方法にて確実に抜けを防止することが可能である。
【００３５】
また、軸側部材１９と軸受部材２３が回動軸２２ａの軸方向において最も近づいた状態では、取り付けられた抜け防止部材３０の抜け防止端部３２と軸受部２４の下端２４ｂとの間には空隙Ｓが生じるように構成されている。よって、抜け防止部材３０が固定された軸側部材１９は、軸受部材２３に対して、回動軸２２ａの軸方向に空隙Ｓの分だけ移動可能なので、軸側部材１９、軸受部材２３などの部材の軸方向の寸法ばらつきや丁番１０、１１と扉３及び枠体２の軸方向の取り付けばらつきなどを、この空隙Ｓを利用して建て付け調整して吸収する扉３を実現することが可能である。
【００３６】
また、回動軸２２ａの軸方向における軸受部材２３と抜け防止端部３２との間に空隙Ｓを有しているので、軸受部材２３が軸側部材１９と抜け防止端部３２とに挟持されることはない。このため、扉３の抜けを防止しつつ、より滑らかに扉３を回動させることが可能である。
【００３７】
また、軸受部材２３と抜け防止部材３０とが、回動軸２２ａの軸方向に備える空隙Ｓは、軸受部材２３の軸受部２４の下端２４ｂと抜け防止部材３０の抜け防止端部３２との間、つまり下丁番１１の下端側に備えられているので、下丁番１１の上端側に設ける場合と比べ、上方から舞い落ちる埃などが空隙Ｓに入り込みにくい。このため、回動軸２２ａと孔部２４ａとの間に埃等が入り込み難いので、扉３の滑らかな回動を維持することが可能である。更に、孔部２４ａの上方から雨水等が浸入しても、この空隙Ｓを介して排水することも可能である。
【００３８】
上記実施形態においては、抜け防止部材３０が、孔部２４ａの直径より大きな外形をなし、軸受部材２３の外に露出する抜け防止端部３２を有している丁番１１の例について説明したが、これに限るものではない。たとえば、図７、図８に示すように、軸受部材２６に設けられている軸受部２７が、回動軸２２ａが挿入されて回動軸２２ａの回動を案内する孔部２７ａと、孔部２７ａと繋がって設けられ孔部２７ａより直径が大きく、抜け防止部材３３が軸側部材１９の回動軸２２ａに螺着されて抜け防止端部３３ａが収容される端部収容部２７ｂと、を有しており、端部収容部２７ｂ内において、孔部２７ａの下端となる段部２７ｃと抜け防止端部３３ａとの間に空隙Ｓが設けられる丁番１１ａであってもよい。
【００３９】
この場合には、孔部２７ａの段部２７ｃと抜け防止端部３３ａとの間に空隙Ｓが端部収容部２７ｂに設けられて外部に露出しないので、回動軸２２ａと孔部２７ａとの間に埃等がより入り込み難い。このため、扉３の滑らかな回動を維持することが可能であるとともに、意匠性にも優れている。更に、建て付け調整で軸側部材１９の下端と軸受部材２６の上端が離間しても、抜け防止端部３３ａは端部収容部２７ｂ内で上方に移動するだけで、抜け防止端部３３ａが軸受部２７から下方に露出しないため、意匠性に優れている。
【００４０】
また、上記実施形態においては、上丁番１０と中丁番１０の軸受部材１６が枠体２側に固定され、下丁番１１の軸側部材１９が扉３側に固定されている例について説明したが、これに限るものではない。例えば、上丁番、中丁番の軸側部材が扉に固定され、下丁番の軸側部材が枠体に固定されているなど、回動軸が孔部に挿入された状態にて、扉に固定された軸側部材又は軸受部材が、枠体に固定された軸受部材又は軸側部材の上方に配置されていれば構わない。なお、全ての軸側部材を扉側に設けても構わない。
【００４１】
また、丁番は３個ではなく上下２個の丁番だけでも良いし、丁番４個でも良い。
また、抜け防止部材の挿入軸部の雄ねじを回動軸の雌ねじに螺合することで、抜け防止部材を取り付ける構成としたが、これに限ることはない。例えば、抜け防止部材の挿入軸部に雌ねじを形成し、回動軸に雄ねじを形成し、それらを螺合する構成でも良い。なお、雌ねじ、雄ねじの螺合を用いた取り付け構成ではなく、その他の係合構造を採用して抜け防止部材を取り付けても良い。
【００４２】
上記実施形態においては、抜け防止端部３２を円形としたが、孔部２４ａより大きなサイズであれば形状は円形でなくとも構わない。
【００４３】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４４】
１  扉ユニット、２  枠体、２ａ  開口、３  扉、１０  丁番(上丁番、中丁番)、
１１  丁番（下丁番）、１１ａ  丁番、１２  軸側部材、１３ａ  回動軸、
１６  軸受部材、１７ａ  孔部、１９  軸側部材、２２ａ  回動軸、２２ｂ  雌ねじ、
２３  軸受部材、２４ａ  孔部、２４ｂ  軸受部材の下端、２６  軸受部材、
２７ａ  孔部、２７ｂ  端部収容部、２７ｃ  段部、３０  抜け防止部材、
３１  挿入軸部、３１ａ  雄ねじ、３２  抜け防止端部、３３  抜け防止部材、
３３ａ  抜け防止端部、Ｓ  空隙
【図１】
2015089997.tif 000003
【図２】
2015089997.tif 000004
【図３】
2015089997.tif 000005
【図４】
2015089997.tif 000006
【図５】
2015089997.tif 000007
【図６】
2015089997.tif 000008
【図７】
2015089997.tif 000009
【図８】
2015089997.tif 000010